(57)【要約】【課題】前後からの到来音の方向が識別聴音可能な受話器とこれを活用した聞きたい音だけが聞き取りやすい補聴器を提供する。【解決手段】前方マイクと後方マイクから集音した音情報を前方音と後方音の識別が可能な受話器を使用して前後の音場で聞かせることで前後に分離定位した到来音を受聞者に聞かせる。【選択図】図６
2013017149.tif 000002
【特許請求の範囲】
【請求項１】
受話器であって複数の発音体をハウジング内に備え該複数の発音体の音波放射軸が交差するように配設しかつ該複数の発音体の外周縁間の距離が１０ｍｍ以下に近接して配した受話器。
【請求項２】
受話器であってＦ発音体とＲ発音体を備えかつＦ発音体とＲ発音体の外周縁間の距離が１０ｍｍ以下に近接して配した受話器。
【請求項３】
補聴器であってＦ発音体とＲ発音体と前方マイクと後方マイクと前方マイクの出力信号を補聴処理する補聴処理手段１と後方マイクの出力信号を補聴処理する補聴処理手段２と電池を備え、補聴処理手段１の出力信号をＦ発音体へ出力し補聴処理手段２の出力信号をＲ発音体へ出力することを特長とした補聴器。
【請求項４】
耳掛式補聴器であって耳輪後方に装着する筐体内あるいはその上部あるいはその近傍に前方マイクの集音軸を矢状面に対して０度より大きくかつ９０度より小さな角度の範囲内の角度で配設し、後方マイクの集音軸を矢状面に対して９０度より多くかつ１８０度より小さい角度で配設し、前方マイクの出力信号を補聴処理する補聴処理手段１と後方マイクの出力信号を補聴処理する補聴処理手段２とＦ発音体とＲ発音体と電池を該筐体内に備え、補聴処理手段１の出力信号をＦ発音体へ出力し、補聴処理手段２の出力信号をＲ発音体へ出力しＦ発音体とＲ発音体とにそれぞれ接続した音導管にて音波を筐体より導出し該音導管の先端部にイヤーピースを装着し該イヤーピースの先端が挿入される外耳道においてＦ発音体に接続された音導管の音波放射軸を外耳道の前頭部側の外耳道側壁に向けて音波を放射し、Ｒ発音体に接続された音導管の音波放射軸を外耳道の後頭部側の外耳道側壁に向けて音波を放射するよう該イヤーピース内に配設することを特長とした耳掛式補聴器。
【発明の詳細な説明】
【技術分野】
【０００１】  本発明は前後からの方向音を聞き分けられる受話器とこれを活用した補聴器に関する。
【背景技術】
【０００２】前後方向からの音方向を聞き分けられる受話器が公表されている（特許文献３）
また音声の聞き取りを改善する補聴器が考案されている（特許文献１）。
【発明の開示】
【発明の概要】
【０００３】従来この種の補聴器の構成は離間配置された２個の前方用マイクと後方音用マイクを備え到来音の方向に基づく音波の前方用マイクと後方音用に到達する時間差を利用して前後音を弁別しやすくなる補聴器が知られている。特許文献１
耳介による耳介効果を利用した方法が知られている。特許文献２
【先行技術文献】
【特許文献】
【０００４】
【特許文献１】特開２０１０−２８７９２７
【特許文献２】特開２０１０−２６８０３８
【特許文献３】特開２００５−１１７５９４
【発明の概要】
【発明の開示】
【発明が解決しようとする課題】
【０００５】しかしながら離間配置された２個の前方用マイクと後方用マイクで集音された音信号も最終的には１つの発音体で音波を生成するにすぎず前後の音場を生成、聴取できない欠点があった。本願の目的は前方用マイクと後方用マイクを備え、かつ２個の発音体使用により前後の音場を再生可能とし、前後からの到来音の音源方向を識別聴取できる補聴器を提供するにある。
【課題を解決するための手段】
【０００６】片耳用補聴器においては１個あるいは２個のマイクで環境音を集音し補聴処理後１つの発音体で音波を生成し環境音を鼓膜へ伝達する方式が一般的である。
従来の補聴器は片耳聴音（単耳聴音とも言う）においては聞きたい音と聞きたくない音を聞き分けることが困難となる問題点があった。この原因はマイクから集音された環境音情報を前後の音場で聞かせるのではなく１つの発音体で全て同一方向からの到来音として聴取させているためと考えられる。また補聴器を２個使用し、左右ステレオ再生させて到来音の左右方向感を改善した補聴器も存在しているが前後音の識別が不可能であり頭内定位の問題も解決されていない。片耳聴音で前後からの到来音の方向が識別聴音可能でかつ聞きたい音だけが聞き取りやすい補聴器は存在していなかった。【０００７】人間の脳の働きとしてあることに意識を集中させると他の注目してない事象に関しては脳に抑制が働き、他の注目していない事象が気にならなくなるか全く意識しなくなるということが良く知られている。そこで補聴器であっても前後の音場を聞かせることを可能とすれば聞きたい音情報と聞きたくない音情報の到来方向が異なって聞こえる場合にあってはその聞きたい音情報の到来方向に意識を集中させることにより聞きたい方向から到来する音情報だけが聞き取りやすくなり、一方他方向からの注目していない聞く必要のない事象からの到来音は脳の抑制作用が働き聴覚にとって気にならなくなる結果として聞きたい音だけが聞きやすくなる効果が得られる補聴器となる。本願はこの脳の空間認識において意識の集中と意識の抑制の観点に着眼して前後の音場が聞き分けられる補聴器とした結果、聞きたい音情報だけが聞き取りやすい補聴器が可能となった。ちなみに同じ方向から到来する複数の音源に関しては正常聴力の人であっても複数音源の中から聞きたい音だけを聞き分けることは困難と思われる。【０００８】前後の音場が聞ける受話器については先行技術文献として特許文献３が知られている。【０００９】以下で述べる発音体とはスピーカーまたはその他の電気音響変換素子のことであり発音体の音波放射軸とは図１に示す様に音電気信号を音波に変換する発音体１０の中心と発生音波の進行方向での音波の中心とを結ぶ軸を音波放射軸１１と称する。矢印は音波の進む方向を示す。また耳甲介の中央とは図２（ａ）の概略模式図で示す耳珠２４の最も後頭部よりの稜線を通る冠状面２１と対輪の最も後頭部よりの稜線を通る冠状面２３との中間の冠状面２２が通る耳甲介部位を言う。２５は対輪、２６は鼻、２９は耳介はである。冠状面とは生物の体を腹側（前）と背側（後）に分割する任意の平面のことである。図２（ｂ）は耳甲介の中央の冠状面２０１の斜視図を示す。【００１０】発音体を使用して前後の音場を再生させるためには前方音再生担当用発音体（以後Ｆ発音体と略す）と後方音再生担当用発音体（以後Ｒ発音体と略す）を使用し耳介形態の形態特性に基づき耳介を前方音集音機能の有する領域と後方音集音機能の有する領域とを区別し、図３で示す様にＦ発音体３６のその音波放射軸３４は矢状面３１に対して０度より大きく９０度より小さい範囲内の角度３２とし、かつ前方音集音機能を有する領域である耳甲介の中央から耳輪に連なる耳甲介領域、対輪、耳輪領域に耳珠方向から音波放射軸を向けて音波を放射可能な位置に配設し、Ｒ発音体３７の音波放射軸３５は、矢状面に対して９０度より大きく１８０度より小さい角度３３として耳輪外側方向から後方音集音機能を有する領域である耳甲介の中央より外耳道口を除く外耳道口周囲に音波放射軸を向けて音波を放射可能な位置に配置する。３８は鼻、３９は耳介である。【００１１】更にＦ発音体とＲ発音体とを近接させ１０ｍｍから０ｍｍの距離に配置する事でより前後の音場再生が明確化することが判明した。
以後耳介に当接して使用する受話器であってケーシング内に１つ以上のＦ発音体と１つ以上のＲ発音体とを収めかつＦ発音体とＲ発音体とを１０ｍｍから０ｍｍの距離に配置した受話器を近接前後音場受話器と称することとする。【００１２】マイクロホンに関して前方向の環境音情報を電気変換するマイクロホンを前方マイク、後方向の環境音情報を電気変換するマイクロホンを後方マイクと称すると、図４で示すマイク受音面４１の中心からマイク受音面に対して垂直に対象音源方向へ伸ばした軸をマイク集音軸４２と称し、図５は本願発明の左耳用の前方マイクと後方マイクの配置を示す。前方マイク５０１と後方マイク５０２の２つを補聴器筐体内あるいはその上部あるいはその近傍に備え、前方マイクの集音軸５０３を矢状面５０７に対して０度より大きくかつ９０度より小さい範囲内の角度５０５で配設し、後方マイクの集音軸５０４を矢状面に対して９０度より大きくかつ１８０度より小さい角度５０６で配置する。【００１３】以下で述べる補聴処理手段とはマイクからの音信号を増幅し発音体を駆動させる手段であって聴音に役立つバンドパスフイルターや雑音抑制、ハウリング抑制処理手段などを含めても良い。補聴器の説明図においては解りやすくするため補聴処理手段と電池は省略している。
【発明を実施するための最良の形態】
【００１４】耳掛式の近接前後音場受話器を使用した補聴器の形態を示す。図６は左耳用の補聴器の斜視図を示し、便宜上矢状面６２０を重ねて描画している。耳介に音波放射面を向けたＦ発音体６１１とＲ発音体６１２の２個の発音体を支持するハウジング６２２とハウジングの後部の外側面に嵌着されたユーザの耳に掛けられる耳掛用に湾曲させた耳掛け部６２１を有し、Ｆ発音体の音波放射軸６１３を耳甲介の中央から耳輪に向けてハウジング内に配置し、Ｒ発音体の音波放射軸６１４は耳甲介の中央から外耳道口を除く外耳道口周囲に連なる領域へ向けてハウジング内に配置する。ハウジング上部に前方マイク６０１と後方マイク６０２の２つを備え、前方マイクの集音軸６０３を矢状面に対して０度より大きくかつ９０度より小さい範囲内の角度６０５で配設し、後方マイクの集音軸６０４を矢状面に対して９０度より多くかつ１８０度より小さい角度６０７で配設する。【００１５】前方マイクの出力信号を補聴処理する補聴処理手段１と後方マイクの出力信号を補聴処理する補聴処理手段２とＦ発音体とＲ方発音体と電池とを該筐体内に備え、前方マイクの出力信号は補聴処理手段１を経てＦ発音体へ供給し、後方マイクからの出力信号は補聴処理手段２を経てＲ発音体へ供給する。図７は音波放射面と反対側の正面概略外観図を示す。７０１は前方マイク、７０３は後方マイク、７０８は音量調節ツマミ、７０９は電池ホルダーのふた、７１０は耳掛けハンガーである。
【図面の簡単な説明】
【００１６】
【図１】音波放射軸
【図２】耳甲介の中央
【図３】Ｆ発音体の音波放射軸とＲ発音体の音波放射軸
【図４】マイク集音軸
【図５】前方マイクと後方マイクの配置
【図６】本願発明の左耳用の補聴器の斜視図
【図７】音波放射面と反対側の正面概略外観図
【図１】
2013017149.tif 000003
【図２】
2013017149.tif 000004
【図３】
2013017149.tif 000005
【図４】
2013017149.tif 000006
【図５】
2013017149.tif 000007
【図６】
2013017149.tif 000008
【図７】
2013017149.tif 000009